(57)【特許請求の範囲】
【請求項１】
被取付部の被取付面に対向する第１の平面を有する第１部分と、前記第１部分の端部に連接されて前記第１部分の端部から下方へと延び、前記第１の平面に連続する外周面を有し、かつ前記外周面の、前記第１の平面に連続する部分が上に凸の曲面である第２部分と、前記第１部分よりも下方に位置し、かつ第２の平面を有する第３部分と、を備え、かつ、被取付部の被取付面に取り付けるための取付金具が中央に設けられる器具本体と、
前記器具本体の前記中央から離れる側である外側に光を出射し、かつ前記器具本体の前記外周面の外側に設けられる光源と、
前記器具本体に取り付けられ、前記光源の上方、および前記光源から光が出射される側の側方を覆い、かつ透光性を有する光源用カバーと、
有し、
前記光源用カバーは、
前記器具本体の前記第３部分における前記第２の平面に面接触されると共に、前記器具本体への、締結手段による取り付けに使用される接触面を有する光源用カバーの第１部分と、
前記光源用カバーの第１部分の端部に連接されると共に、上方に延びる光源用カバーの第２部分と、
前記光源用カバーの第２部分の上端部に連接されると共に、前記被取付面に対向し、かつ前記器具本体の前記第２部分に近づくように延びる光源用カバーの第３部分と、
前記光源用カバーの第３部分の、前記器具本体の前記第２部分に近い側の端部に連接されると共に、断面形状が略Ｖ字状である凹部からなり、かつ、前記凹部の下側の表面が曲面である光源用カバーの第４部分と、
を有し、
前記光源用カバーの第４部分における、前記凹部の、曲面である下側の表面を、前記器具本体の前記第２部分における前記外周面の、前記第１の平面に連続する部分の上に凸の曲面に沿わせることにより、前記凹部の、曲面である下側の表面と前記外周面の、前記第１の平面に連続する部分における上に凸の曲面とを面接触させ、
かつ前記光源は、前記器具本体と前記光源用カバーとによって囲まれる空間内に位置する照明器具。
【発明の詳細な説明】
【技術分野】
【０００１】
本発明は、防虫性を考慮した照明器具に関するものである。
【背景技術】
【０００２】
従来より、防虫を図る構造が提案されている（例えば、特許文献１参照）。
図９（Ａ）、（Ｂ）に示すように、特許文献１に記載の防虫止具１００は、器具本体１０１の天井面１０３側に載置されて周縁部１０２が天井面１０３に当接する皿状を呈しており、中央に孔部１０４を有する。
また、器具本体１０１はシーリング貫通孔１０５を有しており、このシーリング貫通孔１０５の縁部に嵌合するリング部１０６が、孔部１０４の縁部に形成されている。また、器具本体１０１におけるシーリング貫通孔１０５の周囲には、大径部および小径部を有するだるま形状の取付孔１０７が設けられている。
なお、防虫止具１００における孔部１０４の外側には、取付孔１０７と同形状の挿通孔１１１が設けられている。
【０００３】
天井面１０３には、埋込ローゼット１０８が取り付けられており、埋込ローゼット１０８の耳部１０９に取り付けられた取付ねじ１１０の頭部を、器具本体１０１の取付孔１０７の大径部から挿入して小径部に移動させて係止する。
そして、取付ねじ１１０を締めることにより、器具本体１０１を天井面１０３側に押し付けて、器具本体１０１の外周縁部が天井面１０３に当接して、固定される。
【先行技術文献】
【特許文献】
【０００４】
【特許文献１】実開平１−１６４６１３号公報（第１図、第８図）
【発明の概要】
【発明が解決しようとする課題】
【０００５】
しかしながら、前述した特許文献１に記載の防虫止具は、器具本体の外周縁部と天井面との隙間から器具本体内部に虫が侵入するのを防止できるものの、部品点数が多く、構造が複雑であるという問題があった。
【０００６】
本発明は、従来の問題を解決するためになされたもので、簡易な構造により、虫等の浸入を防止できる照明器具を提供することを目的とする。
【課題を解決するための手段】
【０００７】
本発明の照明器具は、被取付部の被取付面に対向する第１の平面を有する第１部分と、前記第１部分の端部に連接されて前記第１部分の端部から下方へと延び、前記第１の平面に連続する外周面を有し、かつ前記外周面の、前記第１の平面に連続する部分が上に凸の曲面である第２部分と、前記第１部分よりも下方に位置し、かつ第２の平面を有する第３部分と、を備え、かつ、被取付部の被取付面に取り付けるための取付金具が中央に設けられる器具本体と、前記器具本体の前記中央から離れる側である外側に光を出射し、かつ前記器具本体の前記外周面の外側に設けられる光源と、前記器具本体に取り付けられ、前記光源の上方、および前記光源から光が出射される側の側方を覆い、かつ透光性を有する光源用カバーと、有し、前記光源用カバーは、前記器具本体の前記第３部分における前記第２の平面に面接触されると共に、前記器具本体への、締結手段による取り付けに使用される接触面を有する光源用カバーの第１部分と、前記光源用カバーの第１部分の端部に連接されると共に、上方に延びる光源用カバーの第２部分と、前記光源用カバーの第２部分の上端部に連接されると共に、前記被取付面に対向し、かつ前記器具本体の前記第２部分に近づくように延びる光源用カバーの第３部分と、前記光源用カバーの第３部分の、前記器具本体の前記第２部分に近い側の端部に連接されると共に、断面形状が略Ｖ字状である凹部からなり、かつ、前記凹部の下側の表面が曲面である光源用カバーの第４部分と、を有し、前記光源用カバーの第４部分における、前記凹部の、曲面である下側の表面を、前記器具本体の前記第２部分における前記外周面の、前記第１の平面に連続する部分の上に凸の曲面に沿わせることにより、前記凹部の、曲面である下側の表面と前記外周面の、前記第１の平面に連続する部分における上に凸の曲面とを面接触させ、かつ前記光源は、前記器具本体と前記光源用カバーとによって囲まれる空間内に位置するものである。
【発明の効果】
【０００８】
本発明は、器具本体とカバーとの間の一対の接触面で取り付けられており、そのうちの少なくとも一方は、断面方向にある程度の長さで少なくとも線接触しているので、器具本体とカバーとが確実に接触することになり、防虫のために別部材を設けることなく、簡易な構造で、器具本体とカバーとの間から虫等が浸入するのを確実に防止できるという効果を有する照明器具を提供できる。
【図面の簡単な説明】
【０００９】
【図１】（Ａ）は本発明に係る実施形態の照明器具の断面図であり、（Ｂ）は下方から見た底面図
【図２】本発明に係る実施形態の照明器具の分解斜視図
【図３】本発明に係る実施形態の照明器具を上方から見た分解斜視図
【図４】図２中ＩＶ部分の拡大図
【図５】図２中Ｖ部分の拡大図
【図６】（Ａ）はアッパーユニット用カバーの平面図であり、（Ｂ）は（Ａ）中Ｂ−Ｂ位置の断面図
【図７】（Ａ）は本発明に係る実施形態の照明器具の断面図であり、（Ｂ）は（Ａ）中Ｂ部分の拡大図
【図８】アッパーユニット用カバーと器具本体との取付部の別の例を示す断面図
【図９】（Ａ）は器具本体に取り付けられた従来の防虫止具の要部断面図であり、（Ｂ）は防虫止具の分解斜視図
【発明を実施するための形態】
【００１０】
以下、本発明に係る実施形態の照明器具について、図面を用いて説明する。
なお、以下の説明においては、照明器具を被取付面に取り付けて下方を照明する場合について説明する。従って、特に示す場合を除き、上（上方、上側等）は天井面側を意味し、下（下方、下側等）は床面側を意味する。
【００１１】
図１（Ａ）および（Ｂ）に示すように、本発明に係る第１実施形態の照明器具１０は、被取付部である天井面１１等に取り付けられて主に下方を照明するのに適する。
図２にも示すように、照明器具１０は、天井面１１に取り付けられている引っ掛けシーリング１２に取り付けるための取付金具２１を中央に有する例えば円板状の器具本体２０を有する。
なお、器具本体２０の外周には、円環状の枠体２２が設けられており、枠体２２には補助光源７０が設けられている。
【００１２】
器具本体２０の上側（すなわち、天井面１１側）には、アッパーユニット（光源）３０、上枠３２およびアッパーユニット用カバー（カバー）６０が設けられている（図３参照）。
また、器具本体２０の下側（すなわち、照明方向側）には、主光源であるロアーユニット４０およびロアーユニット４０用の光学部材であるレンズ４３が設けられている。
【００１３】
図２に示すように、ロアーユニット４０は、器具本体２０の円形を複数個（ここでは、例えば４個）に分割した部分円弧状の基板４１を有しており、各基板４１には、複数のＬＥＤ４２が実装されている。
各ロアーユニット４０は、下方に向けて光を照射する。
【００１４】
図２に示すように、ロアーユニット４０の前方には、ロアーユニット４０が発した光を受けて光を拡散する透光性のパネル５０が設けられている。
パネル５０は、下方に湾曲した曲面形状をしている。
【００１５】
図１（Ａ）、（Ｂ）および図２に示すように、枠体２２は円環状をしており、内部にはパネル５０が嵌まる空間２２１を有する。
枠体２２の表面２２２は、中心に向かって下方へ傾斜しており、所定間隔（ここでは、中心角１２０度）で、補助光源７０用の開口部２２３が設けられている。開口部２２３は、枠体２２の外形に対応して、湾曲して設けられている。
また、枠体２２の表面２２２には、センサ用開口２２４、動作表示ランプ用開口２２５および状態表示ランプ用開口２２６が設けられている。
なお、センサ２４１、動作表示ランプ２４２および状態表示ランプ２４３は、器具本体２０に取り付けられているブラケット２４に取り付けられている（図２参照）。
【００１６】
図４に示すように、補助光源７０は、ＬＥＤ７１を実装した基板７２と、基板７２を取り付ける取付板７３と、ＬＥＤ７１の前方を覆う補助光源用レンズ７４を有する。
基板７２、取付板７３および補助光源用レンズ７４は、枠体２２の外形（円形）に合わせて湾曲している。
また、補助光源用レンズ７４の表面７４１は、枠体２２の表面２２２に沿った形状として、枠体２２の表面２２２から突出しないようにする。
【００１７】
図３に示すように、器具本体２０の外周面２０３（図７（Ｂ）参照）の外側の上面には、複数個（ここでは、例えば４個）のアッパーユニット３０が、所定間隔で設けられている。
アッパーユニット３０は、透光性を有するアッパーユニット用カバー６０により上から覆われている。
【００１８】
図５に示すように、アッパーユニット３０は、ＬＥＤ３３を実装する基板３４と、基板３４を器具本体２０の上面に取り付けるための取付具３５と、ＬＥＤ３３の前面を覆うレンズ３６を有する。
取付具３５は全体Ｌ字形状をしており、基板３４およびレンズ３６を、器具本体２０の上面に直交するように取り付ける。
従って、ＬＥＤ３３からの光は、アッパーユニット用カバー６０を通して、器具本体２０の上面と平行に外側へ向けて出射される。
【００１９】
図６（Ａ）、（Ｂ）に示すように、アッパーユニット用カバー６０は、全体略円環形状を呈しており、中心部には、天井面１１に取り付けられている引っ掛けシーリング１２および器具本体２０の取付金具２１を収容する空間６０１を有する。
また、アッパーユニット用カバー６０は、天井面１１に対向する上面６１と、上面６１の外周縁から下方に延びて器具本体２０の上面２０１に当接する外周壁６２を有する。
【００２０】
図６（Ａ）、（Ｂ）および図７（Ａ）、（Ｂ）に示すように、アッパーユニット用カバー６０の上面６１の内周縁部には、下方に凹む凹部６３が全周にわたって設けられている。
図７（Ｂ）に示すように、凹部６３は、器具本体２０側の内壁６３１と、アッパーユニット３０側の外壁６３２とで、略Ｖ字状に形成されるので、強度が増す。内壁６３１の外側面は、上側に向かって凸形状の円弧面（接触面）６３３が形成されている。
また、外周壁６２の下端には、外側に延びる平面部（接触面）６４が設けられている。
【００２１】
一方、器具本体２０の外周面２０３の上端部２０４は、円弧状に屈曲されている。
このため、アッパーユニット用カバー６０を器具本体２０に取り付けると、アッパーユニット用カバー６０の凹部６３の円弧面６３３が、器具本体２０の外周面２０３の円弧状の上端部２０４に面接触する。
このとき、平面部６４を器具本体２０に対して、締結手段で確実に取り付けることにより、円弧面６３３を器具本体２０に確実に押し付けることができる。
なお、この円弧状の面接触は、全周で接触する場合に限らない。一部面接触が途切れる場合には、途切れた部分に防虫シート等を設けて補う。
【００２２】
また、アッパーユニット用カバー６０の外周壁６２の下端の平面部６４は、器具本体２０の上面２０１に面接触する。
これにより、虫等がアッパーユニット用カバー６０の内部に侵入するのを防止する。
なお、図８に示すように、アッパーユニット用カバー６０の平面部６４と器具本体２０の上面２０１との間に、防虫パッキン６５を設けると、一層防虫効果が向上する。
【００２３】
以上、説明した本発明に係る実施形態の照明器具１０によれば、天井面１１に取り付けられる器具本体２０の外周縁に沿って設けられている外周面２０３の外側には、アッパーユニット３０が取り付けられている。また、器具本体２０には、アッパーユニット３０を覆うアッパーユニット用カバー６０が取り付けられている。
そして、器具本体２０とアッパーユニット用カバー６０との間の一対の接触面のうちの少なくとも一方は、断面方向にある程度の長さで円弧面６３３で接触しており、他方は平面部６４により平面接触している。従って、円弧面６３３を器具本体に押し付けることができ、器具本体２０とアッパーユニット用カバー６０とが確実に接触する。
このため、防虫のために別部材を設けることなく、簡易な構造で、器具本体２０とアッパーユニット用カバー６０との間から虫等が浸入するのを、確実に防止できる。
また、アッパーユニット用カバー６０に円弧面６３３を設けたので、アッパーユニット用カバー６０の強度が増す。
【００２４】
なお、本発明の照明器具１０は、前述した実施形態に限定されるものでなく、適宜な変形、改良等が可能である。
例えば、前述した実施形態においては、一方の接触面を円弧面６３３による円弧面接触とし、他方の接触面を平面部６４による平面接触とした場合を例示したが、両方の接触面を円弧面接触とすることも可能である。
【符号の説明】
【００２５】
１０  照明器具
１１  天井面（被取付面）
２０  器具本体
２０３  外周面
３０  アッパーユニット（光源）
６０  アッパーユニット用カバー（カバー）
６３３  円弧面（接触面）
６４  平面部（接触面）
【図１】
0005849213.tif 000002
【図２】
0005849213.tif 000003
【図３】
0005849213.tif 000004
【図４】
0005849213.tif 000005
【図５】
0005849213.tif 000006
【図６】
0005849213.tif 000007
【図７】
0005849213.tif 000008
【図８】
0005849213.tif 000009
【図９】
0005849213.tif 000010